(57)【要約】      （修正有）【課題】頭髪部でも台座灸が使用でき、また初心者でも安心して灸治療の施灸が行える台座灸支持具を提供する。【解決手段】台座灸を支持して灸治療に使用する台座灸支持具であり、台座灸２０を支持する凹部３を先端に有する筒状の本体筒１と、凹部に支持された台座灸を凹部から取り外すための筒状の押出し具１０からなり、本体筒は筒中芯を貫く貫通穴２を有し、押出し具は本体筒の後端から貫通穴に挿入されて、凹部に支持された台座灸を押し出すことにより台座灸を取り外す。【選択図】図４
0003209411.tif 000002
【実用新案登録請求の範囲】
【請求項１】
台座灸を支持して灸治療に使用する台座灸支持具であり、
該台座灸を支持する凹部を先端に有する筒状の本体筒と、該凹部に支持された前記台座灸を前記凹部から取り外すための筒状の押出し具からなり、
前記本体筒は筒中芯を貫く貫通穴を有し、
前記押出し具は前記本体筒の後端から前記貫通穴に挿入されて、前記凹部に支持された前記台座灸を押し出すことにより前記台座灸を前記凹部から取り外すことを特長とする台座灸支持具。
【請求項２】
さらに、前記本体筒の外周面から前記貫通穴に貫通する複数の空気穴を備える請求項１に記載の台座灸支持具。
【請求項３】
前記本体筒の前記凹部と先端面の角部には、傾斜する面取り部を備える請求項２に記載の台座灸支持具。
【考案の詳細な説明】
【考案の詳細な説明】
【技術分野】
【０００１】本考案は、灸治療の施灸の際に使用する台座灸の支持具に関するものである。
【背景技術】
【０００２】従来、灸治療に使用する灸として、もぐさを紙に巻いて棒灸とし、それを円盤状の台座の中芯の貫通穴に立てて一体とした台座灸が知られている。台座の下面には粘着剤が塗布されており、裏紙を剥がすことで患部の経穴に容易に固定し使用できるものである。また、温灸器に棒灸を入れて患部の経穴に接触、または近接させて使用する灸治療具も知られている。（特許文献１  段落［０００４］  図５）
【先行技術文献】
【特許文献】
【０００３】
【特許文献１】特開２００９−１５３５５４号公報
【考案の開示】
【考案が解決しようとする課題】
【０００４】灸治療は、もぐさを燃焼して患部に接触させるので火傷等のリスクを伴うものであるが、上記台座灸は台座の厚さや棒灸の長さが決まっており一般人が安心して患部に接触させて使用することができるものである。しかし、台座部分を患部に貼り付けて使用するものなので頭など頭髪部の患部や体毛の多い患部に使用するには不便であった。一方、温灸器を使用するものは、接触、近接距離は自在に出来ることから頭髪部への使用には便利ではあるが、使用者が自分で接触、近接距離を決めなくてはならず初心者が使用するには不安が伴う。【０００５】本考案は、上記問題点を解消して頭髪部でも台座灸が使用でき、また初心者でも安心して灸治療の施灸が行える台座灸支持具を提供する。
【課題を解決するための手段】
【０００６】本考案に関わる台座灸支持具は、台座灸を支持して灸治療に使用する台座灸支持具であり、該台座灸を支持する凹部を先端に有する筒状の本体筒と、該凹部に支持された前記台座灸を前記凹部から取り外すための筒状の押出し具からなり、前記本体筒は筒中芯を貫く貫通穴を有し、前記押出し具は前記本体筒の後端から前記貫通穴に挿入されて、前記凹部に支持された前記台座灸を押し出すことにより前記台座灸を前記凹部から取り外すことを特長とする。【０００７】台座灸を本体筒の凹部に支持した状態で、本体筒を手に持って施灸できるので、台座灸を患部に貼り付けることなく施灸することができる。また、施灸の終了後は押出し具により容易に台座灸を取り外すことができる。【０００８】さらに、本考案に関わる台座灸支持具は、本体筒の外周面から筒中芯を貫く貫通穴に貫通する複数の空気穴を備える。【０００９】本体筒に支持された台座灸の棒灸は、貫通穴内部において空気穴から流入する空気により燃焼してその煙は貫通穴後端から排出される。【００１０】また、本体筒の凹部と先端面の角部には、傾斜する面取り部を備えおり、台座灸の凹部への挿入が容易である。
【考案の効果】
【００１１】本考案は上記構成によるので、棒灸の燃焼を妨げることなく台座灸を容易に本体筒に挿入して支持することができ、棒灸の燃焼部が露出していないので一般人でも頭髪部などに安心して施灸できる。また、施灸の終了後は押出し具により容易に本体筒から台座灸を取り外すことができる。
【図面の簡単な説明】
【００１２】
【図１】本体筒を示す図であり、（ａ）は正面図、（ｂ）は底面図
【図２】押出し具の正面図
【図３】本体筒の断面図
【図４】施灸時の取り扱いを示す図であり、（ａ）は台座灸を支持した状態の本体筒を示す図、（ｂ）は押出し具による台座灸の取り外しを示す図
【考案を実施するための形態】
【００１３】本考案の台座灸支持具は、台座灸２０を支持する凹部３を先端に有する筒状の本体筒１と、凹部３に支持された台座灸２０を凹部３から取り外すための押出し具１０からなる。
【００１４】図をもって説明するに、本体筒１は円筒形の形状であり、貫通穴２が円筒中芯を貫いており、貫通穴２の内径は台座灸２０の台座２１の直径よりも小さく、台座灸２０の棒灸２２の直径よりも十分大きい寸法である。
貫通穴２は、その先端部において台座灸２０の棒灸２２を受け入れる空間であり、台座灸２０を本体筒１から取り外すときに押出し具１０を後端部から受け入れる空間として利用される。貫通穴２の後端側は、押出し具１０の受け入れを容易にするため先端側より大きい内径とすることができ、後端面との角部は押出し具１０の挿入を容易にするための面取り部とすることができる。
【００１５】本体筒１の先端には、台座灸２０の台座２１を受け入れて支持する凹部３が設けられている。凹部３の横断面は台座２１と同じ円形であり、その内径は、台座２１の外径よりわずかに大きい寸法であり、その深さは台座の厚みよりわずかに小さい寸法とすることができる。本体筒１の凹部３と先端面との角部は、台座２１の受け入れを容易にするために傾斜する面取り部４が設けられている。台座２１の上面外周部は、面取り部４に接することによりその傾斜面により凹部３に誘い込まれる。
【００１６】凹部３の底部と貫通穴２の角部には、棒灸２２の受け入れを容易にするために面取り部５が設けられている。また、面取り部５を設けることにより、台座２１の上面と本体筒１との接触する面積を少なくすることができるので、本来患部に伝わる熱を本体筒１に奪われる事を防止する。
【００１７】本体筒１の外周面から貫通穴２に貫通する複数（図では８個）の空気穴６が設けられており、棒灸の燃焼を容易にし、また本体部に伝わる熱の放熱を助長する。空気穴６は、台座灸２０が本体筒１の凹部３に取り付けられたとき棒灸２２の位置する付近、およびそれより上部（後端側）に設けられる。
【００１８】本体筒１は、金属、耐熱性樹脂、セラミックス、木材等さまざまな材料で製作することができるが、出来うるなら、放熱性の良い銅、真鍮、アルミ等のパイプ材を用いて制作したい。また、本体筒は円筒形に係らず、横断面が多角形の筒でも良いし、楕円形の筒でも良く、円筒形に拘るものではない。
【００１９】押出し具１０は、円筒形の形状で貫通穴１１が円筒中芯を貫いており、後端に鍔部１２を有する。その外径は、本体筒１の貫通穴２に入り込むのに十分小さい直径寸法であり、貫通穴１１の内径は棒灸２２の直径よりも大きい寸法である。鍔部１２の外径は、貫通穴２の後端の内径より大きな直径寸法とすることができる。押出し具１０の長さは、押出し具１０が本体筒１の貫通穴２に挿入され、鍔部１２の下面が本体筒１の後端面に接した時に、押出し具１０の先端面１３が本体筒１の先端面から少し突出する長さとすることができる。
【００２０】押出し具１０の先端面１３は、本体筒１の凹部３に支持された台座２１の上面を押して、台座灸２０を取り外すために働き、その時貫通穴１１は棒灸２２を受け入れる空間として働き、鍔部２１はストッパとして機能する。
【００２１】押出し具１０は、本体筒１と同様に金属、耐熱性樹脂、セラミックス、木材等の材料で製作することができる。本体筒１と押出し具１０の材料は同じでも良いし、違った材料で製作しても良い。また、押出し具１０の形状は、円筒形状に拘るものではなく本体筒１の貫通穴２に挿入され、棒灸２２を避けて台座２１の上面を押すことができる形状ならばどのような形状でも良い。鍔部１２は絞り加工で形成することができるが、切削加工、接合による形成でも良い。
【００２２】次に、図４（ａ）（ｂ）をもって施灸時の手順を説明する。最初に台座灸２０をテーブル等のフラットな面におき棒灸２２の先端に火をつけて燃焼させる。次に、図４（ａ）に示すように本体筒１の先端を台座灸２０の上から被せて押しつけ、台座２１を凹部３に嵌め込み支持する。その時面取り部４は台座２１の上面外周を誘い込むように働き、棒灸２２は貫通穴２の空間に受け入れられる。棒灸２２は、空気穴６から入り込む空気により燃焼し、煙は貫通穴２の後端部から、またはより上部（後端部側）に設けられた空気穴６から排出される。その状態で台座灸２０の下面を患部に接触、または近接させて施灸を行う。
【００２３】施灸が終わった後は、図４（ｂ）に示すように押出し具１０を本体部１の後端から貫通穴２に挿入して、押出し具１０の先端面１３が台座２１の上面を押すことにより台座灸２０を凹部３より取り外す。
【符号の説明】
【００２４】  １  本体筒
２  貫通穴
３  凹部
４  面取り部
５  面取り部
６  空気穴
１０  押出し具
１１  貫通穴
１２  鍔部
１３  先端面
２０  台座灸
２１  台座
２２  棒灸
【図１】
0003209411.tif 000003
【図２】
0003209411.tif 000004
【図３】
0003209411.tif 000005
【図４】
0003209411.tif 000006